(57)【要約】      （修正有）【課題】防雨電源ボックスに関するものであり、更に詳細には、屋外で電源を必要とする場合、電気工事をすることが無く、取付場所を選ばず取り付けることができ、雨にも強い防雨電源ボックスを提供する。【解決手段】防雨ボックスボディ１の内側の開口部の若干幅の奥方に水平に固定させた基板と、基板に栓刃金具の栓刃３ａを下方に突出させて固定したプラグ部３と、基板に栓刃挿通孔４ａを露出させて固定し刃受金具を内装したコンセント部４と、基板に操作ボタン５ａを露出させて固定したブレカー付スイッチ部５と、を備え、プラグ部３と前記コンセント部４と前記ブレカー付スイッチ部５とを基板の裏側でコードにより電気的に接続させたものである。【選択図】図３
2009295364.tif 000002
【特許請求の範囲】
【請求項１】
略矩形平板状の裏面と、該裏面の両側辺から対峙させて立設し夫々の上方に円弧部を有した両側面と、前記裏面の上方辺と両側面の周辺とを接続させアール面を有した前面と、前記裏面と前記両側面と前記前面とで囲まれ下方に開口部を有した防雨ボックスボディと、前記防水ボックスボディの内側の開口部の若干幅の奥方に水平に固定させた基板と、該基板に栓刃金具の栓刃を下方に突出させて固定したプラグ部と、前記基板に栓刃挿通孔を露出させて固定し刃受金具を内装したコンセント部と、前記基板に操作ボタンを露出させて固定したブレカー付スイッチ部と、を備え、前記プラグ部と前記コンセント部と前記ブレカー付スイッチ部とを前記基板の裏側でコードにより電気的に接続させたこと特徴とする防雨電源ボックス。
【請求項２】
前記コンセント部を複数配設したことを特徴とする請求項１に記載の防雨電源ボックス。
【請求項３】
前記裏面に取付部を形成したことを特徴とする請求項１又は請求項２に記載の防雨電源ボックス。
【発明の詳細な説明】
【技術分野】
【０００１】
本発明は、防雨電源ボックスに関するものであり、更に詳細には、屋外で電源を必要とする場合、電気工事をすることが無く、取付場所を選ばず取り付けることができ、雨にも強い防雨電源ボックスに関するものである。
【背景技術】
【０００２】
従来、殆どの建物の外には電源ながなく、屋外で電源を必要とする場合は屋内から延長コードを用いて引いているが、タップ等のコンセントとプラグで接続された配線では雨が降ると使用できないもので、また、屋外に防雨電源ボックスを既設した建物もあるが、外壁の内側から配線して固定されており電源を移動することは不可能である。
【０００３】
例えば、先に開示された、サッシ等の窓枠の網戸を取り付ける溝部に取り付けられる板状部材を上部と下部に分け、二枚の部材の重なる部分に、スライド部（１）を設ける。下部の部材の屋内側方向にコンセント（２）を設ける。安全のためにブレーカー（３）も設ける。このコンセント（２）やブレーカー（３）の入る厚さ分を屋外側に突出させる構造とし、リード線（４）は屋外側に出し、その先端には差し込みキャップ（５）を取り付けたもの（特許文献１参照）や、防水コンセント１は、コンセント部５Ｂを有するコンセントブロック５を内装し、コンセント部５Ｂのプラグ差し込み口２Ｅを露出させる下向開口部２Ａを有するプレート２と、プレート２の壁面側に設けられた防水パッキン３と、プレート２と防水パッキン３とに挟持された状態でプレート２に取付けられ、プレート２との取付側がプレートの幅寸法Ｌ２に合わせて形成された第１の本体４Ａと防水パッキン３との取付側が第１の本体４Ａの幅寸法Ｌ２よりも小さくなるように防水パッキンの幅寸法Ｌ１に合わせて形成された第２の本体４Ｂと、第１の本体内部にコンセントブロック５を覆うようにプレート側に立設された立設リブ４ａとを有するアダプタ４と、を備えているもの（特許文献２参照）等が開示されている。
【特許文献１】特開平６−１６８７５７号公報
【特許文献２】特開２００７−５９３４４号公報
【発明の開示】
【発明が解決しようとする課題】
【０００４】
然し乍ら、特許文献１に記載のものは、サッシ等の窓枠に取り付けた窓用コンセントであり、また、特許文献２に記載のものは、壁に固設するための防水コンセントであり、何れも防水対策を実施したコンセントに関するものであるが、建物そのものの内側から配線されており、移動させることはできず、コンセントの側で使用できるものに限られると共に、設置するために電気工事を必要としており、使用機器の場所は限定されているものであった。
【課題を解決するための手段】
【０００５】
前記課題に鑑み、鋭意研鑚の結果、本発明の防雨電源ボックスは、裏面と、裏面の両側辺から立設し円弧部を有した両側面と、裏面の上方辺と両側面の周辺とを接続させアール面を有した前面と、裏面と両側面と前面とで囲まれ開口部を有した防雨ボックスボディと、防水ボックスボディの内側の開口部の奥方に水平に固定させた基板と、基板に栓刃金具の栓刃を突出させて固定したプラグ部と、基板に栓刃挿通孔を露出させて固定し刃受金具を内装したコンセント部と、基板に操作ボタンを露出させて固定したブレカー付スイッチ部と、を備え、プラグ部とコンセント部とブレカー付スイッチ部とを基板の裏側でコードにより電気的に接続させものであり、更に、コンセント部を複数配設したものであり、更には、裏面に取付部を形成したものである。
【発明の効果】
【０００６】
本発明の防雨電源ボックスの防雨ボックスボディは裏面と両側面と前面とで囲まれ下方に開口部を有して一体に形成されており、且つ、開口部の若干幅の奥方に基板を固定して、基板の裏側でプラグ部とコンセント部とブレカー付スイッチ部とを電気的に接続させており、上方から降る雨に対して防雨対策が取られており、更に、平板状の裏面を何処にでも接着やビス止め等の手段より取り付けることが可能で、基板に栓刃を突出させてプラグ部を固定しているため、商業電源から延長ケーブルにより電源を得ることができ、栓刃挿通孔を露出させたコンセント部を固定しているため、ここから使用電気機器に電源を提供することができ、更には、基板に操作ボタンを露出させてブレカー付スイッチ部を固定したとにより、短絡や過電流が生じた時の遮断が大元でできるもので、極めて有効な効果を有した実用性の高い発明である。
【発明を実施するための最良の形態】
【０００７】
以下、本発明の防雨電源ボックスの実施例を図面を用いて詳細に説明すると、図１は本発明の防雨電源ボックスの実施例の使用状態の正面図であり、図２は本発明の防雨電源ボックスの実施例の分解図であり、図３は本発明の防雨電源ボックスの実施例の底面図である。
【０００８】
本発明は、防雨電源ボックスに関するものであり、更に詳細には、屋外で電源を必要とする場合、電気工事をすることが無く、取付場所を選ばず取り付けることができ、雨にも強い防雨電源ボックスに関するものであり、請求項１に記載の防雨電源ボックスは、略矩形平板状の裏面１ａと、該裏面１ａの両側辺から対峙させて立設し夫々の上方に円弧部を有した両側面１ｂと、前記裏面１ａの上方辺と両側面１ｂの周辺とを接続させアール面を有した前面１ｃと、前記裏面１ａと前記両側面１ｂと前記前面１ｃとで囲まれ下方に開口部１ｄを有した防雨ボックスボディ１と、前記防雨ボックスボディ１の内側の開口部１ｄの若干幅の奥方に水平に固定させた基板２と、該基板２に栓刃金具の栓刃３ａを下方に突出させて固定したプラグ部３と、前記基板２に栓刃挿通孔４ａを露出させて固定し刃受金具を内装したコンセント部４と、前記基板２に操作ボタン５ａを露出させて固定したブレカー付スイッチ部５と、を備え、前記プラグ部３と前記コンセント部４と前記ブレカー付スイッチ部５とを前記基板２の裏側でコード６により電気的に接続させたこと特徴とするものである。
【０００９】
更に、請求項２に記載の防雨電源ボックスは、請求項１に記載の防雨電源ボックスにおいて、前記コンセント部４を複数配設したことを特徴とするものである。
【００１０】
更には、請求項３に記載の防雨電源ボックスは、請求項１又は請求項２に記載の防雨電源ボックスにおいて、前記裏面１ａに取付部１ａａを形成したことを特徴とするものである。
【実施例】
【００１１】
即ち、本発明の防雨電源ボックスは、屋外の何処にでも場所を選ばず容易に設置できると共に撤去も容易であり、更に、雨降りでも電源部を濡らすことなく、各種の使用電気機器の電源を得るためのものである。
【００１２】
そして、裏面１ａは、後述する防雨ボックスボディ１の裏面１ａであり、略矩形平板状のもので、平坦な面により建物や支柱等の平面に固定を容易とするもので、後述する両側面１ｂと前面１ｃと共に合成樹脂により一体的に形成されるものである。
【００１３】
次に、両側面１ｂは、裏面１ａの両側辺から対称的に対峙させて立設したもので、上方に円弧部を有しており、下辺は裏面１ａの下辺より上方に位置させると共に前方に向けて稍上向きに傾斜させているものである。
【００１４】
次いで、前面１ｃは、裏面１ａの上方辺と両側面１ｂの周辺とを接続させているもので、裏面１ａの上方辺と上方を接続して、手前に膨出するように両側面１ｂの円弧部に沿ったアール面を上方に有しており、下方には裏面１ａと平行した垂直面を有しており、雨が降っても水滴が容易に下方に流れる形状にしているものである。
【００１５】
更に、防雨ボックスボディ１は、側方と上方とを裏面１ａと両側面１ｂと前面１ｃとで囲み下方に開口部１ｄを有して合成樹脂により一体成形したもので、開口部１ｄは前方が稍上向きとして電源の接続のための操作を容易としているものである。
【００１６】
更には、基板２は板状のもので、防雨ボックスボディ１の内側の開口部１ｄの若干幅の奥方にビス孔を螺設したリブ（図示しない）を突設して、該リブのビス孔にビスで止めることにより、開口部１ｄを奥方を塞ぐように固定するものである。
【００１７】
そして、プラグ部３は、栓刃金具を内装したもので、基板２の下方に栓刃金具の一対の栓刃３ａを平行に突出させたものである。
【００１８】
次に、コンセント部４は、使用電気機器から延設されたコードの先端に設けられたプラグの栓刃を挿通させるための一対の栓刃挿通孔４ａを基板２に露出させており、夫々の栓刃挿通孔４ａの奥には一対の栓刃を挟持するための受刃部を配設した一対の受刃金具を内装しているものである。
【００１９】
次いで、ブレカー付スイッチ部５は、過電流が流れた場合に電流を遮断するためのブレカーと、電流の入り切りをすると共にブレカーのリセットをするためのスイッチを一体的に接続させたもので、スイッチはタンブラースイッチで操作ボタン５ａを下方から操作できるように基板２に露出させているものである。
【００２０】
更に、図２に図示するように、プラグ部３とコンセント部４とブレカー付スイッチ部５とを基板２の裏側で夫々コード６により電気的に接続させたものである。
【００２１】
そして、前述のように構成された本発明の防雨電源ボックスは、建物の壁や別部材で形成した支柱に裏面１ａをビス止め、貼着等の手段により固定するだけで設置できるものであり、商業電源のコンセントに延長コードの一方に接続されたプラグを挿通させ、延長コードの他方に接続されたコンセントを基板２に突出させたプラグ部３の栓刃３ａを挿通させると電気的接続ができ、使用電気機器のコードの先端のプラグの栓刃をコンセント部４に挿通させることにより使用状態とさせるものであり、設置も撤収も容易にできるものである。
【００２２】
更に、防雨電源ボックスの基板２にコンセント部４を複数配設したもので、図示した実施例では、両側に２組配設したものであるが、その数は問わないものである。
【００２３】
更には、防雨ボックスボディ１の裏面１ａには取付部１ａａを形成してもので、実施例では両側辺に取付部１ａａを膨出させており、切り欠きを下方に向けた逆Ｕ字状に形成しているもので、更に、裏面１ａの下辺中央に逆Ｕ字状に切り欠いて取付部１ａａを形成したもので、ビスにより取り外し自在にできるものである。
【産業上の利用可能性】
【００２４】
本発明の防雨電源ボックスの防雨ボックスボディは裏面と両側面と前面とで囲まれ下方に開口部を有して一体に形成されており、且つ、開口部の若干幅の奥方に基板を固定して、基板の裏側でプラグ部とコンセント部とブレカー付スイッチ部とを電気的に接続させており、上方から降る雨に対して防雨対策が取られており、更に、平板状の裏面を何処にでも接着やビス止め等の手段より取り付けることが可能で、基板に栓刃を突出させてプラグ部を固定しているため、商業電源から延長ケーブルにより電源を得ることができ、栓刃受け部を露出させて固定したコンセント部を固定しているため、電源を提供することができ、更には、ブレカー付スイッチ部を基板に操作ボタンを露出させて固定したとにより、短絡や過電流の遮断が大元でできる新しいタイプの防雨電源ボックスを提供するものである。
【図面の簡単な説明】
【００２５】
【図１】図１は本発明の防雨電源ボックスの実施例の使用状態の正面図である。
【図２】図２は本発明の防雨電源ボックスの実施例の分解図である。
【図３】図３は本発明の防雨電源ボックスの実施例の底面図である。
【符号の説明】
【００２６】
１      防雨ボックスボディ
１ａ    裏面
１ａａ  取付部
１ｂ    両側面
１ｃ    前面
１ｄ    開口部
２      基板
３      プラグ部
３ａ    栓刃
４      コンセント部
４ａ    栓刃挿通孔
５      ブレカー付スイッチ部
５ａ    操作ボタン
【図１】
2009295364.tif 000003
【図２】
2009295364.tif 000004
【図３】
2009295364.tif 000005